(57)【要約】【構成】天板を脚部材によって支え、この天板にシンク部を設け、前記天板における前記シンク部と作業端縁との間を凹部でつないだストーマ便の処理装置である。【効果】患者（オストメイト）は糞尿の処理をする際に、身に付けたパウチを天板におけるこの凹部に載置することにより、当該パウチが左右へ摺動しにくくすることによってその先端の排便口がシンク部から外れにくい状態を確保することができる。患者（オストメイト）は身に付けたパウチ内の糞尿を簡単な作業によって前記シンク部に排出することができる。【選択図】    図１
2004188156.tif 000002
【特許請求の範囲】
【請求項１】
天板を脚部材によって支え、この天板にシンク部を設けたストーマ便の処理装置において、前記天板における前記シンク部と作業端縁との間を凹部でつないだとを特徴とするストーマ便の処理装置。
【請求項２】
請求項１のストーマ便の処理装置において、前記凹部を湾曲凹部としたことを特徴とするストーマ便の処理装置。
【請求項３】
請求項２のストーマ便の処理装置において、前記湾曲凹部の底部をシンク部方向に向かって下がり傾斜としたことを特徴とするストーマ便の処理装置。
【請求項４】
天板を脚部材によって支え、この天板にシンク部を設けたストーマ便の処理装置において、前記天板の作業端縁側における前記脚部材近傍の床面に、蝶番を介してフィッテング板を前記脚板部材側に向かって起立状態になるように揺動可能に設置されていることを特徴とするストーマ便の処理装置。
【発明の詳細な説明】
【０００１】
【発明の属する技術分野】
この発明はストーマ便の処理装置に関し、パウチへ排尿・排糞を行う、所謂、人工肛門、人工膀胱（ストーマ）を装着した患者（オストメイト）が便処理のさいに使用するものである。
【０００２】
【従来の技術】
従来におけるこの種のストーマ便の処理装置は、天板を脚部材によって支え、この天板にシンク部を設けたものであり、患者（オストメイト）は身に付けたパウチを天板に載置した状態でこのパウチ内に滞留している糞尿を前記シンク部に投入するとともに洗浄手段によってパウチの内面や排便口に付着した糞尿を洗浄していた。
【０００３】
【発明が解決しようとする課題】
しかしながら、かかる従来のストーマ便の処理装置にあっては、前記天板がフラットであったため、患者（オストメイト）が身に付けたパウチを天板に載置した際に、パウチが左右に摺動してその先端の排便口が前記シンク部から外れやすく、この結果、パウチ内の糞尿を前記シンク部に投入させるに時間と手間がかからざるを得ないという不都合を有した。
【０００４】
この発明の課題はかかる不都合を解消することである。
【０００５】
【課題を解決するための手段】
上記課題を解消するために、この発明に係るストーマ便の処理装置においては、天板を脚部材によって支え、この天板にシンク部を設けたストーマ便の処理装置において、前記天板における前記シンク部と作業端縁との間を凹部でつないだため、患者（オストメイト）は糞尿の処理をする際に、身に付けたパウチを天板におけるこの凹部に載置することにより、パウチが左右へ摺動しにくくすることによってその先端の排便口が前記シンク部から外れにくい状態を確保することができる。
【０００６】
なお、前記凹部を湾曲凹部とすれば、袋状のパウチを湾曲面に沿って載置できるため、パウチの位置決めがしやすい結果、患者（オストメイト）は糞尿の処理を更に簡単にできるものである。
【０００７】
なお、前記湾曲凹部の底部をシンク部方向に向かって下がり傾斜にすれば、この湾曲凹部に侵入した洗浄水（洗浄後の水も含む）がシンク部に滑らかに流れ込むため、排水処理がしやすいものである。
【０００８】
また、この発明に係るストーマ便の処理装置を、天板を脚部材によって支え、この天板にシンク部を設けたストーマ便の処理装置において、前記天板の作業端縁側における前記脚部材近傍の床面に、蝶番を介してフィッテング板を前記脚板部材側に向かって起立状態になるように揺動可能に設置すれば、フィッテング板を側部に壁面のない場所にも設置することができ、また、フィッテング板の不要時には起立させて収納させることができるため、如何なる場所にもフィッテング板を設置することができるものである。
【０００９】
【発明の実施の態様】
図１はこの発明に係るストーマ便の処理装置の正面斜視図、図２は図２におけるＩＩ−ＩＩ線断面図、図３は図２におけるＩＩＩ矢視の部分斜視図、図４は同状態における使用状態図、図５は他の使用状態図、図６はフィッテング板の部分拡大図、図７は環状噴射管の斜視図である。
【００１０】
図１及び図２において、Ａはこの発明に係るストーマ便の処理装置、１０はその函状フレームである。このフレーム１０は樹脂製であり、その上面が「天板１１」として、側面が「脚部材１２」として機能する。
【００１１】
次に、１３は大突条部であり、前記天板１１における背面側に一体形成されている。この突条部１３の前面は操作面として機能する。２０はタッチセンサーであり、この突条部１３の前面に設置されている。このタッチセンサー２０は、作業する患者（オストメイト）のタッチによって所定時間だけ後記電磁弁Ｖを開放させる。また、２１はトイレットペーパーホルダーであり、前記突条部１３の前面に設置されている。このトイレットペーパーホルダー２１にはトイレットペーパー２２が装着されている。
【００１２】
１４は周縁突条部であり、前記天板１１における前記大突条部１３の存在しない部分にコ字状に一体形成され、前記天板１１の枠部として機能している。これらの大突条部１３および周縁突条部１４の内側は滑らかに湾曲しながら前記天板１１に連なっている。
【００１３】
次に、３０はシンク部であり、前記天板１１における左側（図１において）、即ち、前記タッチセンサー２０の前側に形成されている。このシンク部３０にはパウチＰ内の糞尿が投入される。３１はこのシンク部３０の楕円孔であり、前記天板１１に形成されている。図２において、３２は垂れ筒であり、前記楕円孔３１の内周縁に沿って連設されている。また、３３は漏斗部であり、前記垂れ筒３２を環状空間Ｓを介して覆った状態で前記天板１１の裏面に取り付けられている。この漏斗部３３は投入された糞尿等を集め排出するためのものである。３４は前記漏斗部３３の排出口、３５はこの排出口３４に接続されたトラップ排水金具である。前記シンク部３０の排出口３１に接続されている。このトラップ排水金具３５によって糞尿の逆流が防止されるとともに臭気の発生が防止される。なお、トラップ排水金具３５の他端は下水管（図示せず）につながれている。
【００１４】
また、前記天板１１における右側（図１において）、即ち、前記トイレットペーパーホルダー２１の前側は平面であり、作業する患者（オストメイト）の物置台等として使用される。
【００１５】
５０はシャワーノズルであり、前記天板１１における前記シンク部３０と前記大突条部１３との間に設置されている。このシャワーノズル５０には給水ホース５１に繋がれているため、作業する患者（オストメイト）は、シャワーノズル５０を把持してその設置位置から取り上げ、シャワーとして自由に使用することができる（図４を参照のこと、但し、作業する患者（オストメイト）の手は省略してある）。なお、５２はコックレバーであり、前記シャワーノズル５０の設置位置の近傍に設置されている。このコックレバー５２を操作することによって前記シャワーノズル５０から水を噴射させたり、停止させたりすることができる。
【００１６】
次に、図２において、６０は環状噴射管であり、前記シンク部３０の環状空間Ｓに設置されている。このため、この環状噴射管６０は、前記天板１１の上方からは、前記垂れ筒３２によって覆われ見えない状態になっている。図７に示すように、６１，６１，…は噴射孔であり、前記環状噴射管６０の外側下面に形成されている。この噴射孔６１は前記漏斗部３３の傾斜底面に対向しているため、前記環状噴射管６０からの圧力水はこの噴射孔６１，６１，…を介して前記漏斗部３３の傾斜底面へ噴射され、糞尿等を前記排水口３４に流し込む。
【００１７】
図２において、６２は給水管６１であり、前記環状噴射管６０に接続されている。この給水管６２には電磁弁（フラッシュバルブ）Ｖが設置され、前記タッチセンサー２０の操作によって、この電磁弁Ｖが開放され、所定時間、圧力水を前記環状噴射管６０に供給し、最終的には、前記噴射孔６１，６１，…を介して前記シンク部３０の漏斗部３３の傾斜底面へ噴射する。
【００１８】
次に、図１，図２及び図３において、１５は湾曲凹部（この発明の「凹部」に相当する）であり、前記天板１１における前記シンク部３０と作業端縁１６との間に形成されている。即ち、前記シンク部３０の手前側周縁と前記天板１１の作業端縁１６とは溝状態で繋がれる（図３を参照のこと）。このため、図４に示すように、作業する患者（オストメイト）Ｍは糞尿の処理をする際に、身に付けたパウチＰを天板１１におけるこの湾曲凹部１６に載置することにより、このパウチＰが左右へ摺動しにくくすることによってその先端の排便口７０が前記シンク部３０から外れにくい状態を確保することができる。
【００１９】
また、上記のように湾曲凹部１５が形成されているいるため、図５に示すように、作業する患者（オストメイト）Ｍが、パウチＰを取り外し、腹部をシャワーノズル５０等によって洗浄するとき、腹部の外周が湾曲凹部１５の形状に似ているため、この腹部を湾曲凹部１５に密着させやすいものである。このため、腹部にかかった洗浄後の水は外部に流れ落ちることなくこの湾曲凹部１５に集められ、ひいては、この湾曲凹部１５の底部が前記シンク部３０方向に向かって下がり傾斜になっているため、シンク部３０に滑らかに流れ込む結果、作業する患者（オストメイト）Ｍにとって、気を使うことなく簡易に腹部の洗浄をすることができる。
【００２０】
次に、図２および図６において、８０は前記フィッテング板であり、前記天板１１の作業端縁１６側における前記脚部材１２近傍の床面Ｆに、蝶番８１を介して固定されている。このフィッテング板８０は前記脚板部材１２側に向かって起立状態になるように揺動可能に設置されている。このフィッテング板８０を近傍に壁面のない場所にも設置することができ、また、フィッテング板８０の不要時には起立させて収納させることができるため、如何なる場所にもすることができるというメリットを有する。なお、フィッテング板８０とは作業する患者（オストメイト）Ｍが便処理をする際にズボンを脱ぐ必要上、その脱着場所として使用するものである。
【００２１】
【発明の効果】
この発明に係るストーマ便の処理装置は、天板を脚部材によって支え、この天板にシンク部を設けたストーマ便の処理装置において、前記天板における前記シンク部と作業端縁との間を凹部でつないだため、患者（オストメイト）は糞尿の処理をする際に、身に付けたパウチを天板におけるこの凹部に載置することによって当該パウチが左右へ摺動しにくくすることによってその先端の排便口が前記シンク部から外れにくい状態を確保することができる。
【００２２】
よって、このストーマ便の処理装置を使用すれば、患者（オストメイト）は身に付けたパウチ内の糞尿を簡単な作業によって前記シンク部に投入することができる。
【００２３】
なお、前記凹部を湾曲凹部とすれば、袋状のパウチを湾曲面に沿って載置できるため、パウチの位置決めがしやすい結果、患者（オストメイト）は糞尿の処理を更に簡単にできるものである。
【００２４】
また、上記のように湾曲凹部を形成すると、作業する患者（オストメイト）Ｍが、パウチを取り外し、腹部を洗浄するとき、腹部の外周が湾曲凹部の形状に似ているため、この腹部を湾曲凹部に密着させやすく、このため、腹部にかかった洗浄後の水は外部に流れ落ちることなくこの湾曲凹部に集められ、ひいては、シンク部に流入するものである。
【００２５】
なお、前記湾曲凹部の底部をシンク部方向に向かって下がり傾斜にすれば、この湾曲凹部に侵入した洗浄水（洗浄後の水も含む）がシンク部に滑らかに流れ込むため、排水処理がしやすいものである。
【００２６】
また、この発明に係るストーマ便の処理装置を、天板を脚部材によって支え、この天板にシンク部を設けたストーマ便の処理装置において、前記天板の作業端縁側における前記脚部材近傍の床面に、蝶番を介してフィッテング板を前記脚板部材側に向かって起立状態になるように揺動可能に設置すれば、フィッテング板を側部に壁面のない場所にも設置することができ、また、フィッテング板の不要時には起立させて収納させることができるため、如何なる場所にもフィッテング板を設置することができるものである。
【図面の簡単な説明】
【図１】この発明に係るストーマ便の処理装置の正面斜視図である。
【図２】図１におけるＩＩ−ＩＩ線断面図である。
【図３】図２におけるＩＩＩ矢視の部分斜視図である。
【図４】同状態における使用状態図である。
【図５】他の使用状態図である。
【図６】フィッテング板の部分拡大図である。
【図７】環状噴射管の斜視図である。
【符号の説明】
Ａ    …  ストーマ便の処理装置
１１  …  天板（フレーム１０）
１２  …  脚部材（フレーム１０）
１５  …  湾曲凹部（凹部）
１６  …  作業端縁
３０  …  シンク部
８０  …  フィッテング板
８１  …  蝶番
【図１】
2004188156.tif 000003
【図２】
2004188156.tif 000004
【図３】
2004188156.tif 000005
【図４】
2004188156.tif 000006
【図５】
2004188156.tif 000007
【図６】
2004188156.tif 000008
【図７】
2004188156.tif 000009